(57)【要約】【課題】  従来使用している徳利がそのまま使用でき、保温効果が高く、しかも低コストに作製できる徳利保温装置を提供する。【解決手段】  徳利Ｐを収容可能とし、断熱性を有する周壁面部および底面部それぞれに形成した空洞内部に蓄熱材４を充填して成るコップ状の内側容器２と、内側容器２の外周面を保温空気層５を介して密封状に覆って成る断熱性を有する外側容器３とを備える。蓄熱材４は、ポリエチレングリコールまたはゲル化剤であるものとする。【選択図】      図１
0003103273.tif 000002
【実用新案登録請求の範囲】
【請求項１】
徳利を収容可能とし、断熱性を有する周壁面部および底面部それぞれに形成された空洞内部に蓄熱材を充填して成る内側容器と、内側容器の外周面を保温空気層を介して密封状に覆って成る断熱性を有する外側容器とを備えたことを特徴とする徳利保温装置。
【請求項２】
蓄熱材は、ポリエチレングリコールまたはゲル化剤である請求項１記載の徳利保温装置。
【考案の詳細な説明】
【技術分野】
【０００１】
本考案は、燗酒が飲酒中に冷めないようにするための徳利保温装置に関する。
【背景技術】
【０００２】
従来、この種の徳利保温装置としては、特許文献１に開示されているように、徳利袴の底部に熱電素子、サーミスタ、温度制御部等を付設してあり、このサーミスタで温度を検出し、温度制御部で熱電素子の電源から熱電素子に流れる電流を調整することにより、徳利の温度を所定の温度に制御する技術が提案されている。
【０００３】
また、特許文献２に開示されているように、徳利形状を有する外側容器と、外側容器内に保持する内側容器との間に空気層を有して成る技術が提案されている。
【特許文献１】特開２００１−１９７９９６号公報
【特許文献２】特開平１０−２４８６９６号公報
【考案の開示】
【考案が解決しようとする課題】
【０００４】
しかしながら従来例において、特許文献１に開示されている技術内容では、徳利袴に熱電素子、サーミスタ、温度制御部等を付設してあるので、保温装置自体の構成が複雑となり且つ高価なものとなる。しかも徳利外表面に熱電素子を効率良く接触させるよう徳利袴自体の内側形状に制約が伴うため、従来使用している徳利がそのまま使用できない等の問題点を有していた。
【０００５】
また、特許文献２に開示されている技術内容では、外側容器が徳利形状を有しているため、従来使用している徳利がそのまま使用できない。しかも空気層のみによる保温のため、保温効果が極めて低いものとなる等の問題点を有していた。
【０００６】
そこで本考案は叙上のような従来存した諸事情に鑑み案出されたもので、従来使用している徳利がそのまま使用でき、保温効果が高く、低コストに作製できるものとした徳利保温装置を提供することを目的とする。
【課題を解決するための手段】
【０００７】
上述した課題を解決するため、本考案にあっては、徳利Ｐを収容可能とし、断熱性を有する周壁面部および底面部それぞれに形成された空洞内部に蓄熱材４を充填して成る内側容器２と、内側容器２の外周面を保温空気層５を介して密封状に覆って成る、断熱性を有する外側容器３とを備えたことを特徴とする。
また蓄熱材４は、ポリエチレングリコールまたはゲル化剤であるものとすることができる。
【０００８】
以上のように構成された本考案に係る徳利保温装置にあって、蓄熱材４を充填して成る内側容器２は、お湯か電子レンジ等で予め温められることにより所定の温度に蓄熱され、内側容器２内に収容される徳利Ｐの燗酒を保温させる。また、保温空気層５を介して密封状に覆って成る外側容器３は、内側容器２の蓄熱状態を一定の温度に維持させる。このように、内側容器２の蓄熱効果と外側容器３による保温効果との協働作用によって、内側容器２内に収容されている徳利Ｐの熱酒を長時間保温しておくことができる。
【考案の効果】
【０００９】
本考案によれば、従来使用している徳利Ｐがそのまま使用でき、保温効果が高く、しかも低コストに作製することができる。特に、蓄熱材４を充填して成る内側容器２と、保温空気層５を有する外側容器３との二重構造であるため、徳利保温装置自体をお湯か電子レンジ等で予め温めることにより所定の温度に蓄熱することができ、内側容器２内に収容される徳利Ｐの燗酒を効率良く保温させておくことができる。
【考案を実施するための最良の形態】
【００１０】
以下図面を参照して本考案を実施するための最良の一形態を説明すると、図において示される符号１は、燗酒が飲酒中に冷めないようにするために徳利Ｐを収容可能とした徳利保温装置であり、図１に示すように、例えばポリメチルベンテン等の断熱性を有する合成樹脂材によってコップ状に形成された内側容器２と、内側容器２の外周面を保温空気層５を介して密封状に覆って成る断熱性を有する外側容器３とを備えている。また、この内側容器２の周壁面部および底面部それぞれの肉厚を若干大きくし、これらの肉厚部分の内部にはコップ状に対応した空洞を形成してあり、この空洞内部には、例えばポリエチレングリコールまたはゲル化剤等の蓄熱材４が充填してある。
【００１１】
また、内側容器２に対する外側容器３の具体的な組み付け構造としては、内側容器２の上側開口縁内周部分に環状の段差部６を設けると共に、円筒状の外側容器３の上側開口側を内径方向に向けて略逆Ｕ字形状に折り返すことで内方フランジ状の環状係架部７が形成され、外側容器３の下側開口縁内周部分を、内側容器２の外径部分がきっちりと嵌合し且つ外側容器３と内側容器２との間に保温空気層５を形成するための隙間ができるように若干肉厚な嵌合部８を形成してある。そして外側容器３に内側容器２を組み付けるに際し、内側容器２の上側開口側を外側容器３の下側開口側から挿入し、外側容器３の環状係架部７を内側容器２の段差部６に係合させる。このとき外側容器３の下側開口縁内周部分に形成されている肉厚な嵌合部８によって内側容器２の外径部分がきっちりと嵌合保持され、これによって外側容器３と内側容器２との間に環状の保温空気層５が形成されるのである。尚、必要に応じて外側容器３の環状係架部７と内側容器２の段差部６との係合部分を接着剤等で固着してある。
【００１２】
次に、本考案による構成の使用方法について説明すれば、先ず蓄熱材４を充填して成る内側容器２をお湯か電子レンジ等で温めることにより所定の温度に蓄熱させておく。そして内側容器２内に徳利Ｐを収容して徳利Ｐの燗酒を保温すれば良い。尚、徳利Ｐを収容する前に、必要に応じて内側容器２内に沸騰したお湯を入れておいても良い。このとき保温空気層５を介して密封状に覆って成る外側容器３は、内側容器２の蓄熱状態を一定の温度に維持させておくことができ、このように内側容器２の蓄熱効果と外側容器３による保温効果との協働作用の下で内側容器２内に収容されている徳利Ｐの熱酒を長時間保温しておくのである。
【図面の簡単な説明】
【００１３】
【図１】本考案を実施するための最良の形態を示す使用状態の一部断面図である。
【符号の説明】
【００１４】
Ｐ  徳利
１  徳利保温装置                        
２  内側容器
３  外側容器                            
４  蓄熱材
５  保温空気層                          
６  段差部
７  環状係架部                          
８  嵌合部
【図１】
0003103273.tif 000003